(57)【要約】  時計の機械式ムーブメントの為に菱形断面を備えたバランスバネとバランスバネの製造方法。本発明は、時計の機械式ムーブメント為のバランスバネに関し、バランスバネは、螺旋状バネとして具現化され、巻線横断面を有する。螺旋状バネの巻線横断面は菱形の形状を有し、菱形は４辺と、第１内角を有する２つの第１角部と、第２内角を有する２つの第２角部と、２つの第１角部を一緒に接続する第１対角線と、２つの第２角部を一緒に接続する第２対角線とを有し、第１対角線は第２対角線より短く、第１内角は第２内角より大きい、本発明が提供される。【選択図】  図１
2020524783.tif 000002
【特許請求の範囲】
【請求項１】
時計の機械式ムーブメントの為のバランスバネにおいて、前記バランスバネは、螺旋状バネとして具現化され、巻線横断面を有する、バランスバネであって、
前記螺旋状バネの前記巻線横断面は菱形の形状を有し、前記菱形は、少なくとも、４辺（３）と、第１内角αを有する２つの第１角部（４）と、第２内角βを有する２つの第２角部（５）と、前記２つの第１角部を一緒に接続する第１対角線（６）と、前記２つの第２角部を一緒に接続する第２対角線（７）とを有し、前記第１対角線は前記第２対角線より短く、前記第１内角は前記第２内角より大きいことを特徴とする、バランスバネ。
【請求項２】
前記第２対角線（７）によって互いに接続される前記２つの角部（５）は、前記菱形が２つの追加の辺（８）を有するように前記第１対角線（６）に対して平行に切断されることを特徴とする、請求項１に記載のバランスバネ。
【請求項３】
前記２つの追加の辺（８）の間の距離（９）は、０．０５ｍｍ〜０．２ｍｍであることを特徴とする、請求項２に記載のバランスバネ。
【請求項４】
前記２つの追加の辺（８）は、０．０１ｍｍ〜０．０５ｍｍの長さを有することを特徴とする、請求項２または３に記載のバランスバネ。
【請求項５】
前記第１対角線（６）の任意の一つは、０．０３ｍｍ〜０．０７ｍｍであることを特徴とする、請求項２〜４のいずれか一項に記載のバランスバネ。
【請求項６】
前記第２内角βは、３°〜３０°であることを特徴とする、請求項２〜５のいずれか一項に記載のバランスバネ。
【請求項７】
前記第２内角βは、１０°〜３０°であることを特徴とする、請求項６に記載のバランスバネ。
【請求項８】
前記２つの追加の辺（８）および前記菱形の隣接した、それぞれの辺（３）の間の移行部は湾曲し、前記湾曲の半径（Ｒ）は、０．００５ｍｍ〜０．０５ｍｍであることを特徴とする、請求項２〜７のいずれか一項に記載のバランスバネ。
【請求項９】
前記巻線横断面は、前記菱形の前記第１対角線（６）および前記菱形の前記第２対角線（７）に対して対称になるように設計されることを特徴とする、請求項２〜７のいずれか一項に記載のバランスバネ。
【請求項１０】
前記バランスバネ（１）は、セラミック材料、好ましくはガラスセラミックで形成されることを特徴とする、請求項１〜９のいずれか一項に記載のバランスバネ。
【請求項１１】
請求項１〜１０のいずれか一項に記載のバランスバネによって特徴付けられるバランスバネ（１）を有する、時計の為のムーブメント。
【請求項１２】
請求項１〜１０のいずれか一項に記載のバランスバネ（１）を製造する為の方法において、
前記バランスバネは、螺旋状バネとして具現化され、巻線横断面を有する方法であって、
前記バランスバネは、未加工部品（１０）から製造され、前記未加工部品は、セラミック材料から形成され、選択的レーザアブレーション法によって構築され、前記螺旋状バネの前記巻線横断面は、菱形の形を有し、前記菱形は、少なくとも、４辺（３）と、第１内角αを有する２つの第１角部（４）と、第２内角βを有する２つの第２角部（５）と、前記２つの第１角部を一緒に接続する第１対角線（６）と、前記２つの第２角部を一緒に接続する第２対角線（７）とを有し、前記第１対角線は前記第２対角線より短く、前記第１内角は前記第２内角より大きいことを特徴とする、方法。
【請求項１３】
前記加工されていない部品（１０）は、ディスクであることを特徴とする、請求項１２に記載の方法。
【請求項１４】
前記加工されていない部品（１０）は、０．１ｍｍ〜０．２５ｍｍの厚さを有することを特徴とする、請求項１２または１３に記載の方法。
【請求項１５】
第１Ｖ字状溝（１３）が、未加工部品（１０）の第１面（１６）にレーザによって作成され、第２Ｖ字状溝（１４）が、未加工部品（１０）の反対側の第２面（１７）にレーザによって作成され、前記第１溝及び第２溝（１３，１４）は、上下に一致して位置し、一緒に開口部を形成し、前記螺旋状バネの個々の巻線を互いに分離させることを特徴とする、請求項１２〜１４のいずれか一項に記載の方法。
【請求項１６】
超短パルスレーザ（１１）が使用されて前記選択的レーザアブレーション法を実行することを特徴とする、請求項１２〜１５のいずれか一項に記載の方法。
【発明の詳細な説明】
【技術分野】
【０００１】
本発明は、独立形式請求項１の序文による時計の機械式ムーブメントの為のバランスバネに関する。特に、本発明は、腕時計または懐中時計の機械式ムーブメントの為のバランスバネに関する。一般的なタイプのバランスバネは、螺旋状バネとして具体化され、巻線横断面を有する。巻線横断面は、バランスバネの単一巻線の横断面であると理解されており、完全なバランスバネの横断面ではない。バランスバネは、いわゆるエスケープメントと共に機械式ムーブメントの調整要素を形成するので、機械式ムーブメントの均一な計時と精度に直接影響する。
【０００２】
DE 10 2008 029429 A1は、独立形式請求項の序文によるバランスバネを開示する。
【０００３】
このバネの巻線横断面は長方形として具現化されている。
【発明の概要】
【０００４】
本発明の目的は、一般的なタイプのバランスバネを都合よく更に改善することである。
【０００５】
この目的は、独立形式の請求項１の特徴部によって達成される。そのため、独立形式の請求項の序文によるバランスバネは、螺旋状バネの巻線横断面が菱形の形状であり、その菱形が少なくとも四辺、第１内角を有する２つの角部、第２内角を有する２つの第２角部、２つの第１角部を互いに接続する第１対角線、２つの第２角部を互いに接続する第２対角線、第１対角線が第２対角線より短く、第１内角が第２内角より大きい場合、本発明の目的を達成する。
【０００６】
本発明は、バランスバネの単一方向の振動と応力分布とが菱形ジオメトリの為に最適化されるという利点を提供する。また、菱形横断面は、バランスバネのムーブメントシーケンスの自己センタリング効果を有し、振動面において、バランスバネを安定化させる。菱形プロファイル設計のため、螺旋状バネの幾何学的な慣性モーメントを変えることができ、したがって、バネ定数（spring rate）を変えることができる。そのため、菱形横断面のジオメトリを画定することによってムーブメントの計時を正確に確立できる。菱形の短い第１対角線は、バランスバネの拡張平面に対して平行に続くのが好ましい。そのため、より長い第２対角線は、バランスバネの拡張平面に対して直交するのが好ましい。そのため、より長い第２対角線は、螺旋の一つの軸に対して平行に続くのが好ましい。
【０００７】
発明の有利な実施形態は、従属形式の請求項の主題である。
【０００８】
特に好ましい本発明の実施形態において、第２対角線によって互いに接続される、菱形の２つの第２角部は、第１対角線に対して平行に切断されるので、菱形は２つの追加の辺を有する。第一に、横断面のジオメトリ設計において、バネ定数を極めて簡単かつ正確に設定することができる。第二に、バランスバネの製造は、この実施形態では簡単化される。
【０００９】
他の好ましい本発明の実施形態によると、２つの前述した追加の辺の間の距離は、０．０５ｍｍ〜０．２ｍｍである。そのため、本発明によるダイバランスバネは、時計のムーブメントにとって特に適している。
【００１０】
他の好ましい本発明の実施形態によると、２つの追加の辺は、０．０１ｍｍ〜０．０５ｍｍの長さである。さらに、第１対角線の長さは、０．０３ｍｍ〜０．０７ｍｍであることが好ましい。さらに、３°〜３０°の値は、むしろ、プロファイルの横断面の第２内角として特に有利であることが判明している。さらに、第２内角は、１０°〜３０°であることが好ましい。
【００１１】
他の好ましい本発明の実施形態において、２つの追加の辺の間と、菱形の隣接した各辺間との移行部が湾曲している場合、本発明のバランスバネの生産は、大幅に簡単化される。湾曲の半径は、０．００５ｍｍ〜０．０５ｍｍの範囲であるのが更に好ましい。
【００１２】
本発明の他の好ましい実施形態において、巻線横断面は、菱形の第１対角線に対して、更に、菱形の第２対角線に対して、対称になるように設計される。そのため、特に簡単かつ正確にバネ定数を決定することができる。この実施形態は、本発明によるバランスバネの生産において有利な効果を有する。
【００１３】
他の特に有利な本発明の実施形態によると、バランスバネはセラミック材料で形成される。まず第一に、これは、特に正確なバネ特性をもたらす。第二に、この材料の選択により、巻線横断面を変える特に簡単な方法が可能になり、したがって、生産を変える特に簡単な方法が可能になる。ガラスセラミックは、本発明によるバランスバネを生産する為に特に適している。適したガラスセラミックの例は、Schott AGがZerodurという商品名で広めているガラスセラミック材料である。あるいは、バランスバネは、酸化ジルコニウムのような酸化物セラミックから製造可能である。
【００１４】
また、本発明は、本発明によるバランスバネを製造する為の方法も利用可能にする。本発明による方法において、バランスバネは、未加工部品から製造されるが、未加工部品は、セラミック材料で形成され、選択的レーザアブレーション法によって構築されるので、望ましい巻線横断面が達成される。本発明による方法は、一つの同一のベース本体から、様々な巻線横断面、したがって、様々なバネ特性を有するバランスバネを製造できるという利点を提供する。これにより、様々な重三形状の複雑かつ費用のかかる製造が不要になる。
【００１５】
この未加工部品は、好ましくはディスクである。より好ましくは、ディスクは、円形に設計される。未加工部品の厚さは、好ましくは０．１ｍｍ〜０．２５ｍｍである。
【００１６】
未加工部品は、セラミック、好ましくはガラスセラミックで形成されている。特に、未加工部品は、Schott AGにより、Zerodurという商品名で広められた材料から形成されてもよい。あるいは、未加工部品は、酸化物セラミックで形成されてもよい。酸化ジルコニウムは、この為に特に適している。未加工部品は、射出成形法によって生産可能である。
【００１７】
本発明による方法の特に好ましい実施形態によると、第１Ｖ字状溝が未加工部品の第１面にレーザを使用して作成され、第２Ｖ字状溝が未加工部品の反対側の第２面にレーザによって作成され、第１溝および第２溝は、対向して互いに一致し、共に開口部を形成し、この開口部が螺旋状バネの個々の巻線を互いに分離する。第１溝および第２溝は、未加工部品の対向する面に次々と作成されるのが好ましく、未加工部品は、第１溝が作成された後、簡単にひっくり返せるので、一つの同一レーザ装置を使用して第２溝を作成することができる。第１溝の深さは、好ましくは、使用される未加工部品の材料の厚さの半分を僅かに超えるので、未加工部品の材料の少なくとも半分の厚さまで未加工部品の第２溝を切断することによって、容易に開口部を生産することができる。
【００１８】
他の好ましい、本発明による方法の実施形態において、超短パルスレーザを使用して、選択的レーザアブレーション法を実施する。そのため、残留物を残すことなく、材料を正確に除去することが可能であり、厄介な熱の移動もない。
【００１９】
また、本発明は、本発明によるバランスバネを使用して時計の為のムーブメントを利用可能にする。
【００２０】
以下、図面を参照して、より詳細に本発明の一実施形態を説明する。
【図面の簡単な説明】
【００２１】
【図１】図１は、上から見た本発明によるバランスバネの実施形態を示す。
【図２】図２は、図１に示された断面線ＩＩによる図１から本発明によるバランスバネの巻線横断面を示す。
【図３】図３は、図２からの横断面プロファイルの角部の詳細図を示す。
【図４】図４は、本発明によるバランスバネが生産される、ディスク形態の未加工部品を斜視で示す。
【図５】図５は、ディスクの最上部側にＶ字状溝を生じさせた後の図４からのディスクを示す。
【図６】図６は、図５からの断面線ＶＩに沿った、図５からのディスクを通る断面を示す。
【図７】図７は、ディスク底面上の点線を用いて第２溝を示す、図６からの断面を示す。
【発明の詳細な説明】
【００２２】
以下、同一部品には同一の参照符合を付けて説明する。それぞれの図の説明で詳細に説明されていない参照番号が図に含まれる場合、前の図の説明または次の説明を参照する。
【００２３】
図１は、本発明によるバランスバネ１の一実施形態の上面図を示す。この図には、バランスバネの螺旋形状が明らかに見られる。
【００２４】
バランスバネ１の巻線横断面は、バネ本体の全長にわたって同一である。図１には、断面の平面ＩＩが、単なる一例として引かれている。各巻線横断面が図２に示されている。この図によって表示されているように、巻線横断面２は、本質的に菱形の形になっている。菱形の基本形状は、４辺３と、第１内角αを有する２つの第１角部４と、内角βを有する２つの第２角部５と，２つの第１角部を互いに接続する第１対角線６と、２つの第２角部を互いに接続する第２対角線とを有する。基本形状の第１対角線６は、第２対角線７より短い。
【００２５】
実際の巻線横断面は、第１対角線６に対して平行に２つの第２角部５を切り離すことによってのみ得られる。そのため、実際の巻線横断面は、全部で（４辺ではなく）６辺を有する。基本の菱形本体の切断から生じる２つの追加の辺には、図面で参照番号８が付けられている。
【００２６】
本発明によると、２つの追加の辺８の間の距離９は、０．０５ｍｍ〜０．２ｍｍの値を有するのが有利である。また、２つの追加の辺８は、０．０１ｍｍ〜０．０５ｍｍの長さを有するのが好ましい。また、第１対角線の長さは、０．０３ｍｍ〜０．０７ｍｍであるのが好ましい。また、第２内角βは、３°〜３０°であるのが好ましい。ここで示された実施形態において、第２内角は、およそ３０°である。
【００２７】
本発明によるバランスバネの簡単な生産のため、２つの追加の辺８および菱形の隣接した各辺３の間の移行部は湾曲している。湾曲の半径Ｒは、図３に明らかに見られるように、０．００５ｍｍ〜０．０５ｍｍである。
【００２８】
ここに示された実施形態において、対向する２つの角部５は、それぞれ、同一の高さで切断され、第１対角線６および第２対角線に対して対称になるように設計された巻線横断面が生じる。
【００２９】
以下、本発明によるバランスバネを生産する方法を説明する。バランスバネは、セラミック材料から形成された、未加工部品から製造される。ガラスセラミックから形成された未加工部品が使用されるのが好ましい。
【００３０】
未加工部品は、円形ディスク１０であるが、これは、図４の斜視図に示されている。ディスク１０は、所望の巻線横断面が生じるように選択的レーザアブレーション法によって構築される。そのようにするため、最初にＶ字状溝１３が超短パルスレーザ１１のレーザ光線１２によってディスク１０の最上面に作成される。図５及び図６の断面図で、溝１３を見ることができる。Ｖ字状溝１３は、バランスバネの次の巻線の間に隙間が示すので、それ自体が螺旋として設計されている。図６に示されるように、溝の深さは、ディスク１０の材料の厚さの半分を僅かに超える。そのため、図６において、溝の基底は、セラミックディスク１０の中心を示すライン１５より低い。
【００３１】
第１溝１３がディスク１０の最上面１６に作成された後、ディスク１０はひっくり返されるので、ディスクの底面１７をレーザ１１で構築できる。その後、Ｖ字状溝は、同様に、レーザによって底面１７に作成される。図７において、この第２Ｖ字状溝は、点線で示され、参照番号１４が付けられている。２つのＶ字状溝１３，１４が構成され、共に開口部を形成し、この開口部が螺旋状バランスバネの個々の巻線を分離する。
【図１】
2020524783.tif 000003
【図２】
2020524783.tif 000004
【図３】
2020524783.tif 000005
【図４】
2020524783.tif 000006
【図５】
2020524783.tif 000007
【図６】
2020524783.tif 000008
【図７】
2020524783.tif 000009
【国際調査報告】
2020524783.tif 000010
2020524783.tif 000011
2020524783.tif 000012
2020524783.tif 000013